【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、前記撮像素子により撮像された画像情報および前記記録媒体に記録された画像情報を表示画面に再生表示する再生表示手段、並びに撮像時に被写体を照明するストロボ手段を有する電子カメラであって、
前記撮像光学系、撮像素子、記録媒体、操作手段、撮像処理手段、再生表示手段およびストロボ手段を搭載し、前記撮像光学系の対物入射面および前記ストロボ手段の発光部を前面側に、操作手段の少なくとも一部を外面の適宜箇所に、そして前記再生表示手段の表示画面を背面側に露出して設けたカメラボディと、
前記カメラボディの背面側に第１のカバー部材を所定範囲スライド移動操作可能に設けられ、前記第１のカバー部材が該スライド範囲内の第１の位置に位置するときに前記再生表示手段の表示画面を覆い、且つ前記スライド範囲の第２の位置に位置するときに、前記表示画面を露出させる第１のカバー手段と、
前記第１のカバー手段と機械的に連動し、前記第１のカバー部材が前記第１の位置に操作配置されたときに、前記カメラボディの前面側に配設された前記撮像光学系の対物入射面を第２のカバー部材により覆い、且つ前記第１のカバー部材が前記第２の位置に操作配置されたときに、前記第２のカバー部材を退避させて前記撮像光学系の対物入射面を露出させる第２のカバー手段と、
前記第１および第２のカバー手段の少なくとも一方に連動し、前記第１および第２のカバー部材が開き、前記再生表示手段の表示画面、前記撮像光学系の対物入射面を露出させた状態で、当該電子カメラの各部に動作電力を供給する電源をオンとし、前記第１および第２のカバー部材が閉じ、前記再生表示手段の表示画面、前記撮像光学系の対物入射面を覆った状態で、前記電源をオフとする電源スイッチ手段と
を具備することを特徴とする電子カメラ。
【請求項２】
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、前記撮像素子により撮像された画像情報および前記記録媒体に記録された画像情報を表示画面に再生表示する再生表示手段、並びに撮像時に被写体を照明するストロボ手段を有する電子カメラであって、
前記撮像光学系、撮像素子、記録媒体、操作手段、撮像処理手段、再生表示手段およびストロボ手段を搭載し、前記撮像光学系の対物入射面および前記ストロボ手段の発光部を前面側に、操作手段の少なくとも一部を外面の適宜箇所に、そして前記再生表示手段の表示画面を背面側に露出して設けたカメラボディと、
前記カメラボディの背面側に第１のカバー部材を所定範囲スライド移動可能として設けられ、前記第１のカバー部材が該スライド範囲内の第１の位置に位置するときに前記再生表示手段の表示画面を覆い、且つ前記スライド範囲の第２の位置に位置するときに、前記表示画面を露出させる第１のカバー手段と、
前記カメラボディの前面側に前記撮像光学系の対物入射面および前記ストロボ手段の発光部を開閉する第２のカバー部材を移動操作可能として設けられ、前記第１のカバー手段と機械的に連動して、前記第２のカバー部材が第１の位置にあるときに、該第２のカバー部材が前記カメラボディの前面側に配設された前記撮像光学系の対物入射面および前記ストロボ手段の発光部を覆うとともに、前記第１のカバー部材を前記第１の位置に位置させ、且つ前記第２のカバー部材が第２の位置にあるときに、該第２のカバー部材が退避して前記カメラボディの前面側に配設された前記撮像光学系の対物入射面および前記ストロボ手段の発光部を露出させるとともに、前記第１のカバー部材を前記第２の位置に位置させる第２のカバー手段と、
前記第１および第２のカバー手段の少なくとも一方に連動し、前記第１および第２のカバー部材が開き、前記再生表示手段の表示画面、前記撮像光学系の対物入射面並びに前記ストロボ手段の発光部を露出させた状態で、当該電子カメラの各部に動作電力を供給する電源をオンとし、前記第１および第２のカバー部材が閉じ、前記再生表示手段の表示画面、前記撮像光学系の対物入射面並びに前記ストロボ手段の発光部を覆った状態で、前記電源をオフとする電源スイッチ手段と
を具備することを特徴とする電子カメラ。
【請求項３】
前記カメラボディは、前記撮像光学系の対物入射面および前記ストロボ手段の発光部を前面側横半部の上縁に配列し、且つ前記第２のカバー部材は、前記前面側の上縁において横方向に移動することにより、前記撮像光学系の対物入射面および前記ストロボ手段の発光部を開閉する部材を含むことを特徴とする請求項２に記載の電子カメラ。
【請求項４】
前記カメラボディは、前記撮像光学系の対物入射面および前記ストロボ手段の発光部を前面側横半部の上縁に配列し、且つ前記第２のカバー部材は、前記前面側において上下方向に移動することにより、前記撮像光学系の対物入射面および前記ストロボ手段の発光部を開閉する部材を含むことを特徴とする請求項２に記載の電子カメラ。
【手続補正２】
【補正対象書類名】明細書
【補正対象項目名】０００４
【補正方法】変更
【補正の内容】
【０００４】
例えば、特開平６−４３５３４号公報および特公平７−８２１８６号公報には、在来の銀塩カメラにおいて、上下方向に回動して撮影レンズ前面を開閉するレンズバリアにストロボ発光部を設けた在来の銀塩カメラの例が示されている。
これら特開平６−４３５３４号公報および特公平７−８２１８６号公報においては、レンズバリアを上方に回動させて開いた状態で、撮影レンズ前面を露出させ且つ該レンズバリアの内面側に設けたストロボ発光部を被写体側に向け、レンズバリアを下方に回動させて閉じた状態で、該レンズバリアにより撮影レンズ前面を覆い且つ該レンズバリアの内面側に設けたストロボ発光部を内方に隠すようにしている。これら特開平６−４３５３４号公報および特公平７−８２１８６号公報においては、さらにレンズバリア部分に、開いた状態で撮影レンズの上側方にファインダ光路を形成する折り畳み式のレンジファインダが組み込まれている。


【手続補正３】
【補正対象書類名】明細書
【補正対象項目名】０００６
【補正方法】変更
【補正の内容】
【０００６】
【発明が解決しようとする課題】
上述した特開平６−４３５３４号公報および特公平７−８２１８６号公報に示されたカメラは、電子カメラではなく銀塩カメラであり、レンズバリアは、上下方向に回動するものである。また、特開平７−３３３６８７号公報に示されたカメラでは、レンズバリアは、単に撮影レンズ前方において左右方向にスライドする。
しかも、これら特開平６−４３５３４号公報、特公平７−８２１８６号公報および特開平７−３３３６８７号公報に示されたカメラ全体の形態も古典的な形態の一種である。


【手続補正４】
【補正対象書類名】明細書
【補正対象項目名】０００８
【補正方法】変更
【補正の内容】
【０００８】
本発明は、上述した事情に鑑みてなされたもので、機能構成およびレイアウトの自由度を充分に活かし、携帯性および操作性に優れ、使い勝手の良好な電子カメラを提供することを目的としている。
本発明の請求項１の目的は、特に、携帯時には、再生表示画面、撮像光学系の入射面が露出することおよび不用意に作動することを防止して、携帯性を向上し、しかも背面側の再生表示画面を露出させる操作のみで、全ての使用準備が行われるなど操作性を損なうことがない電子カメラを提供することにある。


【手続補正５】
【補正対象書類名】明細書
【補正対象項目名】００１０
【補正方法】変更
【補正の内容】
【００１０】
【課題を解決するための手段】
請求項１に記載した本発明に係る電子カメラは、上述した目的を達成するために、
被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、前記撮像素子により撮像された画像情報および前記記録媒体に記録された画像情報を表示画面に再生表示する再生表示手段、並びに撮像時に被写体を照明するストロボ手段を有する電子カメラであって、
前記撮像光学系、撮像素子、記録媒体、操作手段、撮像処理手段、再生表示手段およびストロボ手段を搭載し、前記撮像光学系の対物入射面および前記ストロボ手段の発光部を前面側に、操作手段の少なくとも一部を外面の適宜箇所に、そして前記再生表示手段の表示画面を背面側に露出して設けたカメラボディと、
前記カメラボディの背面側に第１のカバー部材を所定範囲スライド移動操作可能に設けられ、前記第１のカバー部材が該スライド範囲内の第１の位置に位置するときに前記再生表示手段の表示画面を覆い、且つ前記スライド範囲の第２の位置に位置するときに、前記表示画面を露出させる第１のカバー手段と、
前記第１のカバー手段と機械的に連動し、前記第１のカバー部材が前記第１の位置に操作配置されたときに、前記カメラボディの前面側に配設された前記撮像光学系の対物入射面を第２のカバー部材により覆い、且つ前記第１のカバー部材が前記第２の位置に操作配置されたときに、前記第２のカバー部材を退避させて前記撮像光学系の対物入射面を露出させる第２のカバー手段と、
前記第１および第２のカバー手段の少なくとも一方に連動し、前記第１および第２のカバー部材が開き、前記再生表示手段の表示画面、前記撮像光学系の対物入射面を露出させた状態で、当該電子カメラの各部に動作電力を供給する電源をオンとし、前記第１および第２のカバー部材が閉じ、前記再生表示手段の表示画面、前記撮像光学系の対物入射面を覆った状態で、前記電源をオフとする電源スイッチ手段と
を具備することを特徴としている。


【手続補正６】
【補正対象書類名】明細書
【補正対象項目名】００１３
【補正方法】変更
【補正の内容】
【００１３】
【作用】
すなわち、本発明の請求項１による電子カメラは、被写体像を結像させる撮像光学系、前記撮像光学系により結像された被写体光学像を電子的な画像情報に変換する撮像素子、画像情報を記録するための記録媒体、ユーザが撮像操作を行うための操作手段、前記操作手段に応答し、前記撮像素子により変換された画像情報に所要の処理を施して前記記録媒体に書き込む撮像処理手段、前記撮像素子により撮像された画像情報および前記記録媒体に記録された画像情報を表示画面に再生表示する再生表示手段、並びに撮像時に被写体を照明するストロボ手段を搭載するカメラボディの前面側に前記撮像光学系の対物入射面および前記ストロボ手段の発光部を、外面の適宜箇所に操作手段の少なくとも一部を、そして背面側に前記再生表示手段の表示画面を露出して設け、前記カメラボディの背面側に、第１のカバー部材を所定範囲スライド移動操作可能として第１のカバー手段を設け、前記第１のカバー部材が該スライド範囲内の第１の位置に位置するときに前記再生表示手段の表示画面を覆い、且つ前記スライド範囲の第２の位置に位置するときに、前記表示画面を露出させるとともに、前記第１のカバー手段と機械的に連動して第２のカバー手段を設け、前記第１のカバー部材が前記第１の位置に操作配置されたときに、前記カメラボディの前面側に配設された前記撮像光学系の対物入射面を第２のカバー部材により覆い、且つ前記第１のカバー部材が前記第２の位置に操作配置されたときに、前記第２のカバー部材を退避させて前記撮像光学系の対物入射面を露出させ、前記第１および第２のカバー手段の少なくとも一方に連動して電源スイッチ手段を設けて、前記第１および第２のカバー部材が開き、前記再生表示手段の表示画面、前記撮像光学系の対物入射面を露出させた状態で、当該電子カメラの各部に動作電力を供給する電源をオンとし、前記第１および第２のカバー部材が閉じ、前記再生表示手段の表示画面、前記撮像光学系の対物入射面を覆った状態で、前記電源をオフとする。


【手続補正７】
【補正対象書類名】明細書
【補正対象項目名】００１４
【補正方法】変更
【補正の内容】
【００１４】
このような構成により、機能構成およびレイアウトの自由度を充分に活かし、携帯時には、再生表示画面、撮像光学系の入射面が露出することおよび不用意に作動することを防止して、携帯性を向上し、しかも背面側の再生表示画面を露出させる操作のみで、全ての使用準備が行われるなど操作性を損なうことがなく、携帯性および操作性に優れ、使い勝手が良好となる。


【手続補正８】
【補正対象書類名】明細書
【補正対象項目名】００１９
【補正方法】変更
【補正の内容】
【００１９】
【発明の実施の形態】
以下、実施の形態に基づき、図面を参照して本発明の電子カメラを詳細に説明する。
図１は、本発明の一つの実施の形態に係る電子カメラの非使用時つまり携帯時のカバーを閉じた状態を、前面側より見た場合の斜視図、図２はカバーを閉じた状態の背面の斜視図であり、図３および図４は、同電子カメラの非携帯時つまり使用時のカバーを開いた状態でのそれぞれ前面および背面の斜視図である。図５は、該電子カメラの電子的な機能構成を模式的に示すブロック図である。
図１〜図４に示す電子カメラは、カメラボディ１、レリーズボタン２、撮像光学系３、表示部カバー４、レンズストロボカバー５、グリップ滑り止め６、モードダイヤル７、操作ボタン８、表示ランプ９、表示画面１０およびストロボ発光部１１を具備する。


【手続補正９】
【補正対象書類名】明細書
【補正対象項目名】００２０
【補正方法】変更
【補正の内容】
【００２０】
カメラボディ１は、角部を曲面とした扁平なほぼ直方体状に形成されている。このカメラボディ１には、図１〜図４に示すように、上面にレリーズボタン２を配設し、且つ前面側の上端近傍の撮影者から見て右半部には、撮像光学系３およびストロボ発光部１１を、前面側の撮影者から見て左側の把持部近傍にグリップ滑り止め６、左上角部にはモードダイヤル７を、背面側の上端部近傍部分には操作ボタン８と表示ランプ９を、そして背面側の撮影者から見てほぼ左半部中央には表示画面１０を、それぞれ配設している。